(57)【特許請求の範囲】
【請求項１】
外壁換気用の外壁換気口と床下換気用の床下換気口とが設けられた構造物に設置される土台水切りであって、
前記構造物の外壁の下端に取り付けられ、かつ前記外壁換気口と前記床下換気口との双方よりも構造物の屋外側に配置されて降水した水が前記外壁換気口と前記床下換気口を通して構造物内に浸入することを規制する水切り部本体と、
前記水切り部本体内に回動自在に設けられ、かつ前記構造物の屋外側の水位が前記構造物の基礎の上面に近付くと、前記屋外側から受ける水圧により前記水切り部本体に対して回動して前記外壁換気口と前記床下換気口の双方を塞ぐ止水弁と、
を備えることを特徴とする土台水切り。
【請求項２】
前記水切り部本体は、
前記外壁の下端から下方に延在しかつ前記外壁と平行に設けられる水切部と、
前記水切部の下端から前記構造物の基礎に向かって延在する鼠返し部と、を備え、前記水切部と前記鼠返し部との双方に開口が設けられている
ことを特徴とする請求項１記載の土台水切り。
【請求項３】
前記止水弁は、前記構造物の屋内側の端部を中心に回動自在に設けられ、
前記水切り部本体内に設けられ、かつ前記水圧が作用して前記水切り部本体に対して回動して前記外壁換気口と前記床下換気口の双方を塞ぐ前記止水弁の屋外側の端部を屋内側の端部よりも上方に維持する受け部材を備える
ことを特徴とする請求項２記載の土台水切り。
【請求項４】
前記受け部材は、前記外壁の幅方向に間隔をあけて複数の受け部材側開口が設けられ、
前記止水弁は、前記外壁の幅方向に間隔をあけて複数の弁側開口が設けられ、
前記受け部材側開口と前記弁側開口とは、前記外壁の幅方向に互いにずれた位置に配置されている
ことを特徴とする請求項３記載の土台水切り。
【請求項５】
前記止水弁は、前記構造物の屋内側の端部を中心に回動自在に設けられ、かつ、前記水圧が作用して前記水切り部本体に対して回動すると、前記水切り部本体の内面の前記外壁換気口よりも前記屋外側の位置に当接する止水部材を備える
ことを特徴とする請求項２記載の土台水切り。
【発明の詳細な説明】
【技術分野】
【０００１】
本発明は、土台水切りに関する。
【背景技術】
【０００２】
従来から、構造物としての木造住宅では、内部結露を防止するために外壁換気構造と床下換気構造が用いられている。これらの換気構造を採用した構造物では、外壁内及び床下内に降水した水が浸入することを規制する土台水切りが取り付けられている（特許文献１参照）。
【先行技術文献】
【特許文献】
【０００３】
【特許文献１】特許第４７５５７７５号公報
【発明の概要】
【発明が解決しようとする課題】
【０００４】
前述した特許文献１に示された技術は、豪雨、津波、河川の氾濫などの水害時に、外壁換気構造及び床下換気構造を通して構造物内に水などの液体が浸入すること、即ち、浸水することを抑制できることが望まれている。
【０００５】
本発明の目的は、水害時に構造物内の浸水を抑制することができる土台水切りを提供することである。
【課題を解決するための手段】
【０００６】
本発明の土台水切りは、外壁換気用の外壁換気口と床下換気用の床下換気口とが設けられた構造物に設置される土台水切りであって、前記構造物の外壁の下端に取り付けられ、かつ前記外壁換気口と前記床下換気口との双方よりも構造物の屋外側に配置されて降水した水が前記外壁換気口と前記床下換気口を通して構造物内に浸入することを規制する水切り部本体と、前記水切り部本体内に回動自在に設けられ、かつ前記構造物の屋外側の水位が前記構造物の基礎の上面に近付くと、前記屋外側から受ける水圧により前記水切り部本体に対して回動して前記外壁換気口と前記床下換気口の双方を塞ぐ止水弁と、を備えることを特徴とする。
【０００７】
上記土台水切りでは、水切り部本体が外壁換気口と床下換気口との双方よりも構造物の屋外側に配置されているので、水切り部本体が外壁換気口と床下換気口との双方を覆うこととなる。また、上記土台水切りでは、水切り部本体内に構造物の屋外側から受ける水圧により回動して外壁換気口と床下換気口を塞ぐ止水弁を備えているので、構造物の屋外側の水位が上昇すると、止水弁が外壁換気口と床下換気口との双方を塞ぐことができる。したがって、土台水切りは、止水性を高めることができ、水害時に構造物内の浸水を抑制することができる。
【０００８】
また、土台水切りは、水切り部本体内に止水弁を設けているので、構造物の屋外側から止水弁を隠すこととなり、美観を損ねることを抑制でき、強度を向上することができる。また、土台水切りは、水切り部本体内に止水弁を設けているので、構造物の外壁の屋外側に設置されるエアコンディショナの室外機などの外部機器や配管等に干渉することがない。
【０００９】
上記土台水切りにおいて、前記水切り部本体は、前記外壁の下端から下方に延在しかつ前記外壁と平行に設けられる水切部と、前記水切部の下端から前記構造物の基礎に向かって延在する鼠返し部と、を備え、前記水切部と前記鼠返し部との双方に開口が設けられていることを特徴とすることが好ましい。
【００１０】
上記土台水切りでは、水切り部本体が水切部と鼠返し部とを備え、これら水切部と鼠返し部との双方に開口を設けているので、止水弁が塞ぐ前では、外壁換気口と床下換気口とから外気などを取り込んで、換気量を増やすことができ、内部結露を抑制することができる。
【００１１】
上記土台水切りにおいて、前記止水弁は、前記構造物の屋内側の端部を中心に回動自在に設けられ、前記水切り部本体内に設けられ、かつ前記水圧が作用して前記水切り部本体に対して回動して前記外壁換気口と前記床下換気口の双方を塞ぐ前記止水弁の屋外側の端部を屋内側の端部よりも上方に維持する受け部材を備えることが好ましい。
【００１２】
上記土台水切りでは、水切り部本体に対して回動した止水弁を外壁換気口と床下換気口との双方を塞ぐように維持する受け部材を備えているので、構造物の屋外側の水位が上昇すると止水弁が外壁換気口と床下換気口との双方を塞ぐことができる。
【００１３】
また、土台水切りは、止水弁が止水した状態で受け部材が止水弁の屋外側の端部を屋内側の端部よりも上方に維持するので、止水弁に構造物の屋外側の水圧が作用しなくなると、止水弁が外壁換気口及び床下換気口を開放する位置に復帰することとなる。したがって、水害の発生していない通常時において、外壁換気と床下換気を行うことができ、内部結露を抑制することができる。
【００１４】
上記土台水切りにおいて、前記受け部材は、前記外壁の幅方向に間隔をあけて複数の受け部材側開口が設けられ、前記止水弁は、前記外壁の幅方向に間隔をあけて複数の弁側開口が設けられ、前記受け部材側開口と前記弁側開口とは、前記外壁の幅方向に互いにずれた位置に配置されていることが好ましい。
【００１５】
上記土台水切りでは、受け部材に設けられた複数の受け部材側開口と止水弁に設けられた複数の弁側開口とが外壁の幅方向に互いにずれた位置に配置されているので、構造物の屋外側の水位が上昇して回動した止水弁が外壁換気口と床下換気口との双方を塞ぐことができる。また、土台水切りでは、受け部材に受け部材側開口が設けられ、止水弁に弁側開口が設けられているので、外壁換気口と床下換気口を通して外壁換気と床下換気を行うことができる。
【００１６】
上記土台水切りにおいて、前記止水弁は、前記構造物の屋内側の端部を中心に回動自在に設けられ、かつ、前記水圧が作用して前記水切り部本体に対して回動すると、前記水切り部本体の内面の前記外壁換気口よりも前記屋外側の位置に当接する止水部材を備えることが好ましい。
【００１７】
上記土台水切りでは、止水弁が水圧により回動すると水切り部本体の内面の外壁換気口よりも構造物の屋外側の位置に当接する止水部材を備えているので、構造物の屋外側の水位が上昇すると、止水弁が外壁換気口と床下換気口との双方を塞ぐことができる。
【発明の効果】
【００１８】
本発明に係る土台水切りは、水害時に構造物内の浸水を抑制することができるという効果を奏する。
【図面の簡単な説明】
【００１９】
【図１】図１は、実施形態に係る土台水切りが設置される木造住宅の一例を示す斜視図である。
【図２】図２は、実施形態に係る土台水切りなどを断面で示す斜視図である。
【図３】図３は、実施形態に係る土台水切りなどの断面図である。
【図４】図４は、図３中のＩＶ部を拡大して示す断面図である。
【図５】図５は、実施形態に係る土台水切りの止水弁が止水した状態を示す平面図である。
【図６】図６は、実施形態の変形例に係る土台水切りなどの断面図である。
【図７】図７は、図６中のＶＩＩ部を拡大して示す断面図である。
【図８】図８は、開示例１に係る土台水切りなどの断面図である。
【図９】図９は、図８中のＩＸ部を拡大して示す断面図である。
【図１０】図１０は、開示例２に係る土台水切りなどの断面図である。
【図１１】図１１は、図１０中のＸＩ部を拡大して示す断面図である。
【発明を実施するための形態】
【００２０】
以下に、本発明の実施形態に係る土台水切りにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２１】
［実施形態］
図１から図５を参照して、実施形態について説明する。実施形態は、木造住宅１００（構造物に相当する）と、コンクリートで構成された基礎１０１との間に設置される土台水切り１に関する。図１は、実施形態に係る土台水切りが設置される木造住宅の一例を示す斜視図、図２は、実施形態に係る土台水切りなどを断面で示す斜視図、図３は、実施形態に係る土台水切りなどの断面図、図４は、図３中のＩＶ部を拡大して示す断面図、図５は、実施形態に係る土台水切りの止水弁が止水した状態を示す平面図である。
【００２２】
木造住宅１００は、耐久性を向上するために、内部結露を抑制することが求められている。木造住宅１００は、基礎内に浸水したり、外壁に内外から湿気が入りこんで気温が低下すると、内部結露が発生しやすくなる。木造住宅１００は、内部結露が発生すると、壁内の木材などが腐って耐久性を低下させたり、室内にカビが発生し室内環境が不衛生な状態となる可能性がある。
【００２３】
実施形態に係る土台水切り１は、図１に示す木造住宅１００に設置される。木造住宅１００は、図１に示すように、コンクリートで構成された基礎１０１上に設置され、複数の外壁１０２等により構成されている。なお、以下、木造住宅１００の外壁１０２の表面と水平方向と平行な方向を外壁１０２の幅方向といい、鉛直方向と平行な方向を上下方向という。また、木造住宅１００の外壁１０２よりも外側を屋外側、内側を屋内側という。
【００２４】
木造住宅１００は、図２及び図３に示すように、基礎１０１上に固定される土台１０３と、複数の縦胴縁１０４と、外壁１０２などで構成されている。土台１０３は、基礎１０１との間に設けられた基礎パッキン１０５上に固定されている。縦胴縁１０４は、扁平な角柱状に形成され、釘などにより土台１０３に下端が固定されて、上下方向と平行に配置される。また、縦胴縁１０４は、外壁１０２の幅方向に間隔をあけて複数配置されている。外壁１０２は、縦胴縁１０４の屋外側に重ねられ、釘などにより縦胴縁１０４に固定されている。また、縦胴縁１０４の屋内側には、水蒸気を透過し液体の水を通さない透湿防水シート１０６が設けられ、透湿防水シート１０６の屋内側に図示しない断熱材が設けられている。なお、透湿防水シート１０６の下端は、土台１０３と縦胴縁１０４との間に挟まれて、土台１０３に取り付けられている。なお、外壁１０２、縦胴縁１０４及び透湿防水シート１０６の下端は、土台１０３の下端よりも若干上方に配置されている。
【００２５】
木造住宅１００は、内部結露を抑制するための構造として、外壁換気構造１０７と、床下換気構造１０８とが設けられている。外壁換気構造１０７は、互いに隣り合う縦胴縁１０４と、外壁１０２と、透湿防水シート１０６との下端で囲まれた外壁換気口１０７ａを備えている。外壁換気口１０７ａは、外気を外壁１０２と透湿防水シート１０６との間に取り込んだり、外壁１０２と透湿防水シート１０６との間の気体を屋外に排出して、湿気を排出する外壁換気用の開口である。
【００２６】
床下換気構造１０８は、基礎パッキン１０５により基礎１０１と土台１０３との間に形成された隙間により構成された床下換気口１０８ａを備えている。床下換気口１０８ａは、外気を土台１０３と基礎１０１との間即ち基礎１０１内に取り込んだり、土台１０３と基礎１０１との間の気体を屋外に排出して、湿気を排出する外壁換気用の開口である。
【００２７】
土台水切り１は、外壁換気口１０７ａと床下換気口１０８ａとの屋外側を覆って、湿気の排出を許容するとともに、雨などの液体が浸入することを規制するものである。土台水切り１は、水切り部本体１０と、止水弁２０と、受け部材３０とを備える。
【００２８】
水切り部本体１０は、木造住宅１００の外壁１０２の下端に取り付けられ、外壁換気口１０７ａと床下換気口１０８ａとの双方よりも木造住宅１００の屋外側に配置されて、降水した水が外壁換気口１０７ａと床下換気口１０８ａとを通して木造住宅１００内に浸入することを規制するものである。なお、降水した水とは、水蒸気が凝結して大気中において形成される液体または固体の水が重力により落下する降水現象により地上に落下した雨などの水のことをいう。水切り部本体１０は、板金を折り曲げるなどして構成され、木造住宅１００の全周に亘って、外壁１０２の下端に取り付けられる。水切り部本体１０は、被取付部１１と、下方延在部１２と、水切部１３と、受け部１４とを備える。
【００２９】
被取付部１１は、縦胴縁１０４と、外壁１０２との間に配置されて、これらに取り付けられる。下方延在部１２は、被取付部１１の下端に連なり、被取付部１１から下方に向かうにしたがって徐々に屋外側に向かうように、上下方向に対して傾斜している。下方延在部１２の下端は、外壁１０２よりも屋外側に配置されている。水切部１３は、下方延在部１２の下端に連なって、下方延在部１２の下端即ち木造住宅１００の外壁１０２の下端から下方に延在している。水切部１３は、外壁１０２と平行に設けられて、床下換気口１０８ａよりも下方まで延在している。受け部１４は、鼠などの小動物の換気口１０７ａ，１０８ａへの侵入を規制するものである。受け部１４は、水切部１３の下端から基礎１０１に向かって延在している。受け部１４は、水切部１３から基礎１０１に向かうにしたがって徐々に上方に向かうように上下方向に対して傾斜している。
【００３０】
水切部１３には、当該水切部１３を貫通する開口１３ａが設けられている。開口１３ａは、水切部１３に幅方向に間隔をあけて複数配置されている。開口１３ａは、湿気を屋外に排出するためのものである。また、受け部１４は、基礎１０１から間隔をあけて配置され、基礎１０１との間の湿気を屋外に排出するための開口１４ａを設けている。
【００３１】
受け部材３０は、板金などを折り曲げるなどして構成され、水切り部本体１０内に設けられ、かつ屋外側からの液体の水圧が作用して水切り部本体１０に対して回動して外壁換気口１０７ａと床下換気口１０８ａとの双方を塞ぐ止水弁２０の断面において屋外側の端部２０ａを屋内側の端部２０ｂよりも上方に維持するものである。なお、屋外側の端部２０ａとは、止水弁２０に水圧が作用せずに外壁換気口１０７ａと床下換気口１０８ａとの双方を開放した時、即ち、非止水時の止水弁２０の断面における屋外側に位置する端部をいう。屋内側の端部２０ｂとは、止水弁２０に水圧が作用せずに外壁換気口１０７ａと床下換気口１０８ａとの双方を開放した時、即ち、非止水時の止水弁２０の断面における屋内側に位置する端部をいう。また、止水弁２０は、水圧以外に手動等によっても回動可能である。
【００３２】
受け部材３０は、被取付部３１と、下方延在部３２と、鼠返し部３３と、回動支持部３４とを備える。被取付部３１は、縦胴縁１０４と、外壁１０２との間に配置されて、これらに取り付けられる。受け部材３０の被取付部３１は、水切り部本体１０の被取付部１１の屋内側に配置される。下方延在部３２は、被取付部３１の下端に連なり、被取付部３１から下方に向かうにしたがって徐々に屋外側に向かうように、上下方向に対して傾斜している。下方延在部３２は、水切り部本体１０の下方延在部１２の屋内側に配置される。
【００３３】
鼠返し部３３は、水切り部本体１０内に配置され、下方延在部３２の下端から下方に向かうにしたがって徐々に屋内側に向かうように、上下方向に対して傾斜している。受け部材３０の鼠返し部３３は、外壁１０２の幅方向に間隔をあけて湿気を排出するための複数の受け部材側開口３３ａが設けられている。鼠返し部３３は、屋外側からの液体の水圧が作用して水切り部本体１０に対して回動した止水弁２０を表面上に重ねることで、止水弁２０の断面において屋外側の端部２０ａを屋内側の端部２０ｂよりも上方に維持する。回動支持部３４は、鼠返し部３３の下端に連なり、基礎１０１上に配置されている。回動支持部３４は、止水弁２０の屋内側の端部２０ｂを中心に回動自在に止水弁２０を支持している。
【００３４】
止水弁２０は、水切り部本体１０内に回動自在に設けられ、かつ木造住宅１００の屋外側の水位が木造住宅１００の基礎１０１の上面に近付くと、木造住宅１００の屋外側から受ける水圧により水切り部本体１０に対して回動して、外壁換気口１０７ａと床下換気口１０８ａとの双方を塞ぐものである。止水弁２０は、板金などから平板状に構成され、外壁１０２の幅方向と平行な直線状に形成されている。止水弁２０は、水切り部本体１０内に設けられ、屋内側の端部２０ｂを中心に受け部材３０の回動支持部３４に回動自在に支持されている。止水弁２０の回転中心は、外壁１０２の幅方向と平行である。
【００３５】
止水弁２０は、屋内側の端部２０ｂを中心に回動することで、図４中に実線で示す屋外側の端部２０ａが受け部１４に重なる位置と、図４中に二点鎖線で示す止水弁２０が鼠返し部３３に重なって外壁換気口１０７ａと床下換気口１０８ａとの双方を塞ぐ位置とに亘って移動する。止水弁２０は、木造住宅１００の屋外側の水位が基礎１０１の上面よりも十分に低いと、屋外側から水圧などが作用せずに、重力等によって図４中に実線で示す位置となる。止水弁２０は、木造住宅１００の屋外側の水位が基礎１０１の上面に近付いて、屋外側から水圧などが作用すると、屋外側からの水圧により屋外側の端部２０ａが水切り部本体１０の奥に向かって押されて、屋内側の端部２０ｂを中心に回動する。そして、止水弁２０は、図４中に二点鎖線で示す鼠返し部３３に重なって外壁換気口１０７ａと床下換気口１０８ａとの双方を塞ぐ位置となる。
【００３６】
また、止水弁２０は、外壁１０２の幅方向に間隔をあけて湿気を排出するための複数の弁側開口２０ｃが設けられている。受け部材側開口３３ａ（図５中に点線で示す）と、弁側開口２０ｃ（図５中に実線で示す）とは、外壁１０２の幅方向に互いにずれた位置に配置されている。このために、止水弁２０が受け部材３０に重なって外壁換気口１０７ａと床下換気口１０８ａとの双方を塞ぐと、受け部材側開口３３ａと弁側開口２０ｃを通して、水などの液体が外壁換気口１０７ａと床下換気口１０８ａを通して木造住宅１００に浸入することを規制する。
【００３７】
以上のことから、実施形態に係る土台水切り１は、水切り部本体１０が外壁換気口１０７ａと床下換気口１０８ａとの双方よりも木造住宅１００の屋外側に配置されているので、水切り部本体１０が外壁換気口１０７ａと床下換気口１０８ａとの双方を覆うこととなる。また、土台水切り１では、水切り部本体１０内に木造住宅１００の屋外側から受ける水圧により回動して外壁換気口１０７ａと床下換気口１０８ａを塞ぐ止水弁２０を備えているので、木造住宅１００の屋外側の水位が上昇すると、止水弁２０が外壁換気口１０７ａと床下換気口１０８ａとの双方を塞ぐことができる。したがって、土台水切り１は、止水弁２０の止水性を高めることができ、水害時に木造住宅１００内の浸水を抑制することができる。
【００３８】
また、土台水切り１は、水切り部本体１０内に止水弁２０を設けているので、木造住宅１００の屋外側から止水弁２０を隠すこととなり、美観を損ねることを抑制でき、強度を向上することができる。また、土台水切り１は、水切り部本体１０内に止水弁２０を設けているので、木造住宅１００の外壁１０２の屋外側に設置されるエアコンディショナの室外機などの外部機器や配管等と干渉することがない。
【００３９】
土台水切り１は、水切り部本体１０が水切部１３と受け部１４とを備え、これら水切部１３と受け部１４との双方に開口１３ａ，１４ａを設けているので、止水弁２０が塞ぐ前では、外壁換気口１０７ａと床下換気口１０８ａとから外気などを取り込んで、換気量を増やすことができ、内部結露を抑制することができる。
【００４０】
土台水切り１は、水切り部本体１０に対して回動した止水弁２０を外壁換気口１０７ａと床下換気口１０８ａとの双方を塞ぐように維持する受け部材３０を備えているので、木造住宅１００の屋外側の水位が上昇すると止水弁２０が外壁換気口１０７ａと床下換気口１０８ａとの双方を塞ぐことができる。
【００４１】
土台水切り１は、受け部材３０が止水弁２０が止水した状態で止水弁２０の屋外側の端部２０ａを屋内側の端部２０ｂよりも上方に維持するので、止水弁２０に木造住宅１００の屋外側の水圧が作用しなくなると、止水弁２０が外壁換気口１０７ａ及び床下換気口１０８ａを開放する位置に復帰することとなる。したがって、水害の発生していない通常時において、外壁換気と床下換気を行うことができ、内部結露を抑制することができる。
【００４２】
土台水切り１は、受け部材３０に設けられた複数の受け部材側開口３３ａと止水弁２０に設けられた複数の弁側開口２０ｃとが外壁１０２の幅方向に互いにずれた位置に配置されているので、木造住宅１００の屋外側の水位が上昇して回動した止水弁２０が外壁換気口１０７ａと床下換気口１０８ａとの双方を塞ぐことができる。また、土台水切り１は、受け部材３０に受け部材側開口３３ａが設けられ、止水弁２０に弁側開口２０ｃが設けられているので、外壁換気口１０７ａと床下換気口１０８ａを通して外壁換気と床下換気を行うことができる。
【００４３】
［変形例］
図１、図６及び図７を参照して、実施形態の変形例について説明する。図６は、実施形態の変形例に係る土台水切りなどの断面図、図７は、図６中のＶＩＩ部を拡大して示す断面図である。なお、図６及び図７において、実施形態と同一部分には、同一符号を付して説明を省略する。
【００４４】
実施形態の変形例に係る土台水切り１−１は、水切り部本体１０と、止水弁２０とを備え、受け部材３０を備えていない。変形例に係る土台水切り１−１は、受け部１４が水切り部本体１０の下端から基礎１０１の上面まで延在して構成されている。受け部１４には、開口１４ａが貫通している。開口１４ａは、外壁１０２の幅方向に沿って間隔をあけて複数設けられている。
【００４５】
また、変形例に係る土台水切り１−１は、止水弁２０の屋内側の端部２０ｂが、受け部１４の屋内側の端部に回動自在に支持されている。土台水切り１−１は、止水弁２０に止水ゴム２１（止水部材に相当する）が取り付けられている。止水ゴム２１は、屋外側から受ける水圧が作用して、止水弁２０が水切り部本体１０に対して回動すると、水切り部本体１０の内面１０ａの外壁換気口１０７ａよりも木造住宅１００の屋外側の位置に当接する。止水ゴム２１は、水切り部本体１０の内面１０ａに当接すると、水切り部本体１０の内面１０ａとの間を水密に保って、外壁換気口１０７ａ及び床下換気口１０８ａを通して木造住宅１００内に水が浸入することを規制する。
【００４６】
実施形態の変形例に係る土台水切り１−１は、実施形態と同様に、水害時に木造住宅１００内の浸水を抑制することができる。また、土台水切り１−１は、屋外側の水圧が作用して止水弁２０が回動すると水切り部本体１０の内面１０ａの外壁換気口１０７ａよりも木造住宅１００の屋外側の位置に当接する止水ゴム２１を備えている。このために、木造住宅１００の屋外側の水位が上昇すると、止水弁２０が外壁換気口１０７ａと床下換気口１０８ａとの双方を塞ぐことができる。
【００４７】
［開示例１］
図１、図８及び図９を参照して、開示例１について説明する。開示例１は、木造住宅１００（構造物に相当する）と、コンクリートで構成された基礎１０１との間に設置される土台水切り２−１に関する。図１は、開示例１に係る土台水切りが設置される木造住宅の一例を示す斜視図、図８は、開示例１に係る土台水切りなどの断面図、図９は、図８中のＩＸ部を拡大して示す断面図である。
【００４８】
木造住宅１００は、耐久性を向上するために、内部結露を抑制することが求められている。木造住宅１００は、基礎１０１内に浸水したり、外壁１０２に内外から湿気が入りこんで気温が低下すると、内部結露が発生しやすくなる。木造住宅１００は、内部結露が発生すると、壁内の木材などが腐って耐久性を低下させたり、室内にカビが発生し室内環境が不衛生な状態となる可能性がある。
【００４９】
実施形態に係る土台水切り１は、図１に示す木造住宅１００に設置される。木造住宅１００は、図１に示すように、コンクリートで構成された基礎１０１上に設置され、複数の外壁１０２等により構成されている。なお、以下、木造住宅１００の外壁１０２の表面と水平方向と平行な方向を外壁１０２の幅方向といい、鉛直方向と平行な方向を上下方向という。また、木造住宅１００の外壁１０２よりも外側を屋外側、内側を屋内側という。
【００５０】
木造住宅１００は、図８に示すように、基礎１０１上に固定される土台１０３と、複数の縦胴縁１０４と、外壁１０２などで構成されている。土台１０３は、基礎１０１との間に設けられた基礎パッキン１０５上に固定されている。縦胴縁１０４は、扁平な角柱状に形成され、釘などにより土台１０３に下端が固定されて、上下方向と平行に配置される。また、縦胴縁１０４は、外壁１０２の幅方向に間隔をあけて複数配置されている。外壁１０２は、縦胴縁１０４の屋外側に重ねられ、釘などにより縦胴縁１０４に固定されている。また、縦胴縁１０４の屋内側には、水蒸気を透過し液体の水を通さない透湿防水シート１０６を設け、透湿防水シート１０６の屋内側に図示しない断熱材が設けられている。なお、透湿防水シート１０６の下端は、土台１０３と縦胴縁１０４との間に挟まれて、土台１０３に取り付けられている。なお、外壁１０２、縦胴縁１０４及び透湿防水シート１０６の下端は、土台１０３の下端よりも若干上方に配置されている。
【００５１】
木造住宅１００は、内部結露を抑制するための構造として、外壁換気構造１０７と、床下換気構造１０８とが設けられている。外壁換気構造１０７は、互いに隣り合う縦胴縁１０４と、外壁１０２と、透湿防水シート１０６との下端で囲まれた外壁換気口１０７ａを備えている。外壁換気口１０７ａは、外気を外壁１０２と透湿防水シート１０６との間に取り込んだり、外壁１０２と透湿防水シート１０６との間の気体を屋外に排出して、湿気を排出する外壁換気用の開口である。
【００５２】
床下換気構造１０８は、基礎パッキン１０５により基礎１０１と土台１０３との間に形成された隙間により構成された床下換気口１０８ａを備えている。床下換気口１０８ａは、外気を土台１０３と基礎１０１との間即ち基礎１０１内に取り込んだり、土台１０３と基礎１０１との間の気体を屋外に排出して、湿気を排出する外壁換気用の開口である。
【００５３】
木造住宅１００は、従来から、豪雨、津波、河川の氾濫などの水害時に、少なくとも床下換気構造１０８を通して水などの液体が浸入すること、即ち、浸水することを抑制できることが望まれている。開示例１の土台水切り２−１は、床下換気口１０８ａとの屋外側を覆って、湿気の排出を許容するとともに、水害時に木造住宅１００内の浸水を抑制することができることを目的としたものである。
【００５４】
土台水切り２−１は、図９に示すように、水切り部本体３と、止水弁４と、鼠返し部材５とを備える。水切り部本体３は、木造住宅１００の外壁１０２の下端に取り付けられ、床下換気口１０８ａよりも木造住宅１００の屋外側に配置されて、雨などの降水した水が床下換気口１０８ａを通して木造住宅１００内に浸入することを規制するものである。なお、降水した水とは、水蒸気が凝結して大気中において形成される液体または固体の水が重力により落下する降水現象により地上に落下した雨などの水のことをいう。水切り部本体３は、板金を折り曲げるなどして構成され、木造住宅１００の全周に亘って、外壁１０２の下端に取り付けられる。水切り部本体３は、被取付部３ａと、下方延在部３ｂと、水切部３ｃと、鼠返し部３ｄを備える。
【００５５】
被取付部３ａは、縦胴縁１０４と、透湿防水シート１０６との間に配置されて、これらに取り付けられる。下方延在部３ｂは、被取付部３ａの下端に連なり、被取付部３ａから下方に向かうにしたがって徐々に屋外側に向かうように、上下方向に対して傾斜している。下方延在部３ｂの下端は、外壁１０２よりも屋外側に配置されている。水切部３ｃは、下方延在部３ｂの下端に連なって、下方延在部３ｂの下端即ち木造住宅１００の外壁１０２の下端から下方に延在している。水切部３ｃは、外壁１０２と平行に設けられて、床下換気口１０８ａよりも下方まで延在している。鼠返し部３ｄは、鼠などの小動物の換気口１０７ａ，１０８ａへの侵入を規制するものである。鼠返し部３ｄは、水切部３ｃの下端から基礎１０１に向かって延在している。鼠返し部３ｄは、水切部３ｃから基礎１０１に向かうにしたがって徐々に上方に向かうように上下方向に対して傾斜している。
【００５６】
水切部３ｃには、当該水切部３ｃを貫通する開口３ｅが設けられている。開口３ｅは、水切部３ｃに幅方向に間隔をあけて複数配置されている。開口３ｅは、湿気を屋外に排出するためのものである。また、鼠返し部３ｄは、基礎１０１から間隔をあけて配置され、基礎１０１との間の湿気を屋外に排出するための開口３ｆを設けている。
【００５７】
鼠返し部材５は、板金などを折り曲げるなどして構成され、被取付部５ａと、返し部５ｂと、回動支持部５ｃとを備える。被取付部５ａは、縦胴縁１０４と、透湿防水シート１０６との間に配置されて、これらに取り付けられる。鼠返し部材５の被取付部５ａは、水切り部本体３の被取付部３ａの屋内側に配置される。被取付部５ａは、縦胴縁１０４の下端から基礎パッキン１０５の下端まで延在している。被取付部５ａは、床下換気口１０８ａを開放する開口５ｄが設けられている。返し部５ｂは、被取付部５ａの下端に連なり、被取付部５ａの下端から屋外側に突出している。回動支持部５ｃは、返し部５ｂの屋外側の端部に設けられ、止水弁４の屋内側の端部４ｂを中心に回動自在に止水弁４を支持している。
【００５８】
止水弁４は、水切り部本体３内に回動自在に設けられ、かつ木造住宅１００の屋外側の水位が木造住宅１００の基礎１０１の上面に近付くと、木造住宅１００の屋外側から受ける水圧により水切り部本体３に対して回動して、床下換気口１０８ａを塞ぐものである。止水弁４は、板金などから平板状に形成され、外壁１０２の幅方向と平行な直線状に形成されている。止水弁４は、水切り部本体３内に設けられ、屋内側の端部４ｂを中心に鼠返し部材５の回動支持部５ｃに回動自在に支持されている。止水弁４の回転中心は、外壁１０２の幅方向と平行である。なお、屋内側の端部４ｂとは、止水弁４に水圧が作用せずに床下換気口１０８ａを開放した時、即ち、非止水時の止水弁４の断面における屋内側に位置する端部をいう。屋外側の端部４ｃとは、止水弁４に水圧が作用せずに床下換気口１０８ａを開放した時、即ち、非止水時の止水弁４の断面における屋外側に位置する端部をいう。
【００５９】
また、止水弁４の屋外側の端部４ｃには、止水ゴム４ａ（止水部材に相当する）が取り付けられている。止水ゴム４ａは、屋外側から受ける水圧が作用して、止水弁４が水切り部本体３に対して回動すると、鼠返し部材５の表面の開口５ｄよりも上方の位置に当接する。止水ゴム４ａは、鼠返し部材５の表面に当接すると、鼠返し部材５の表面との間を水密に保って、床下換気口１０８ａを通して木造住宅１００に水が浸入することを規制する。
【００６０】
止水弁４は、屋内側の端部４ｂを中心に回動することで、図９中に実線で示す床下換気口１０８ａを開放する位置と、図９中に二点鎖線で示す止水ゴム４ａが鼠返し部材５の表面に当接して床下換気口１０８ａを塞ぐ位置とに亘って移動する。止水弁４は、木造住宅１００の屋外側の水位が基礎１０１の上面よりも十分に低いと、屋外側から水圧などが作用せずに、重力等によって図９中に実線で示す位置となる。止水弁４は、木造住宅１００の屋外側の水位が基礎１０１の上面に近付いて、屋外側から水圧などが作用すると、屋外側からの水圧により屋外側の端部４ｃが水切り部本体３の奥に向かって押されて、屋内側の端部４ｂを中心に回動する。そして、止水弁２０は、図９中に二点鎖線で示す床下換気口１０８ａを塞ぐ位置となる。
【００６１】
以上のことから、開示例１に係る土台水切り２−１は、水切り部本体３が床下換気口１０８ａよりも木造住宅１００の屋外側に配置されているので、水切り部本体３が床下換気口１０８ａを覆うこととなる。また、土台水切り２−１では、水切り部本体３内に木造住宅１００の屋外側から受ける水圧により回動して床下換気口１０８ａを塞ぐ止水弁４を備えているので、木造住宅１００の屋外側の水位が上昇すると、止水弁４が床下換気口１０８ａを塞ぐことができる。したがって、土台水切り２−１は、止水弁４の止水性を高めることができ、水害時に木造住宅１００内の浸水を抑制することができる。
【００６２】
また、土台水切り２−１は、水切り部本体３内に止水弁４を設けているので、木造住宅１００の屋外側から止水弁４を隠すこととなり、美観を損ねることを抑制でき、強度を向上することができる。また、土台水切り２−１は、水切り部本体３内に止水弁４を設けているので、木造住宅１００の外壁１０２の屋外側に設置されるエアコンディショナの室外機などの外部機器や配管等と干渉することがない。
【００６３】
［開示例２］
図１、図１０及び図１１を参照して、開示例２について説明する。図１０は、開示例２に係る土台水切りなどの断面図、図１１は、図１０中のＸＩ部を拡大して示す断面図である。なお、図１０及び図１１において、開示例１と同一部分には、同一符号を付して説明を省略する。
【００６４】
開示例２に係る土台水切り２−２では、止水弁４が水切り部本体３の下方に上下方向にスライド自在に設けられている。土台水切り２−２は、屋外側から受ける水圧が作用すると、止水弁４が水位の上昇とともに上方に移動する。土台水切り２−２は、止水弁４が上方に移動すると、水切り部本体３の鼠返し部３ｄに止水ゴム４ａが当接する。止水ゴム４ａは、鼠返し部３ｄに当接すると、鼠返し部３ｄとの間を水密に保って、床下換気口１０８ａを通して木造住宅１００に水が浸入することを規制する。
【００６５】
止水弁４は、上下方向に移動することで、図１１中に実線で示す水切り部本体３の鼠返し部３ｄに設けられた開口を開放する位置と、図１１中に二点鎖線で示す止水ゴム４ａが鼠返し部３ｄの表面に当接して床下換気口１０８ａを塞ぐ位置とに亘って移動する。止水弁４は、木造住宅１００の屋外側の水位が基礎１０１の上面よりも十分に低いと、屋外側から水圧などが作用せずに、重力等によって図１１中に実線で示す位置となる。止水弁４は、木造住宅１００の屋外側の水位が基礎１０１の上面に近付いて、屋外側から水圧などが作用すると、屋外側からの水圧により上方に押されて、上方に移動する。そして、止水弁４は、図１１中に二点鎖線で示す床下換気口１０８ａを塞ぐ位置となる。
【００６６】
開示例２に係る土台水切り２−２は、開示例１と同様に、水害時に木造住宅１００内の浸水を抑制することができる。
【００６７】
上記の実施形態、変形例、開示例１及び開示例２に開示された内容は、適宜組み合わせて実施することができる。
【符号の説明】
【００６８】
１，１−１  土台水切り
１０  水切り部本体
１３  水切り部
１３ａ  開口
１４  受け部
１４ａ  開口
２０  止水弁
２０ａ  屋外側の端部
２０ｂ  屋内側の端部
２０ｃ  弁側開口
２１  止水ゴム（止水部材）
３０  受け部材
３３ａ  受け部材側開口
１００  木造住宅（構造物）
１０２  外壁
１０７ａ  外壁換気口
１０８ａ  床下換気口
【図１】
0006395618.tif 000002
【図２】
0006395618.tif 000003
【図３】
0006395618.tif 000004
【図４】
0006395618.tif 000005
【図５】
0006395618.tif 000006
【図６】
0006395618.tif 000007
【図７】
0006395618.tif 000008
【図８】
0006395618.tif 000009
【図９】
0006395618.tif 000010
【図１０】
0006395618.tif 000011
【図１１】
0006395618.tif 000012